(57)【要約】【課題】種々の形状の便器に対応可能で、優れた洗浄効果を得ることができる薬液供給装置を提供する。【解決手段】本発明は、便器のリムに取り付けられる薬液供給装置であって、  薬液を収容し、当該薬液の排出口を有する薬液容器と、排出口に接続され、前記薬液容器内の薬液を外部へと導く薬液排出機構と、薬液排出機構よりも下方に配置される支持部材と、薬液容器、薬剤排出機構、及び前記支持部材を便器のリムに吊り掛けるための吊掛部材と、を備え、支持部材は、薬液排出機構を経た薬液を受ける基部と、基部においてリムの内壁面と対向する側に連接される少なくとも１つの弾性部と、弾性部に連接され、リムの内壁面に向かって延びる可動部と、を備えている。【選択図】図６
2010216192.tif 000002
【特許請求の範囲】
【請求項１】
便器のリムに取り付けられる薬液供給装置であって、
薬液を収容し、当該薬液の排出口を有する薬液容器と、
前記排出口に接続され、前記薬液容器内の薬液を外部へと導く薬液排出機構と、
前記薬液排出機構よりも下方に配置される支持部材と、
前記薬液容器、薬剤排出機構、及び前記支持部材を便器のリムに吊り掛けるための吊掛部材と、を備え、
前記支持部材は、
前記薬液排出機構を経た薬液を受ける基部と、
前記基部においてリムの内壁面と対向する側に連接される少なくとも１つの弾性部と、
前記弾性部に連接され、リムの内壁面に向かって延びる可動部と、
を備えている、薬液供給装置。
【請求項２】
前記弾性部が複数形成されており、
幅方向に隣接する前記弾性部の間に、貫通孔が形成されている、請求項１に記載の薬液供給装置。
【請求項３】
前記基部から前記可動部側へ向かって前記貫通孔内へ延びる延出部をさらに備えている、請求項２に記載の薬液供給装置。
【請求項４】
前記支持部材に、前記可動部側に凸のＵ字型の孔が施されることで、前記弾性部、貫通孔、及び延出部が形成される、請求項３に記載の薬液供給装置。
【請求項５】
前記弾性部は、前記基部に対して上方に向かって傾斜するように湾曲している、請求項１から４のいずれかに記載の薬液供給装置。
【請求項６】
前記薬液容器が、フラッシュ時の流水の経路に配置されないように便器のリムに取り付けられる、請求項１から５のいずれかに記載の薬液供給装置。
【請求項７】
前記流出孔に、フラッシュ時の流水が到達しないように、便器のリムに取り付けられる、請求項１から５のいずれかに記載の薬液供給装置。
【発明の詳細な説明】
【技術分野】
【０００１】
本発明は、便器のリムに取り付けられ、便器を洗浄する薬液を供給する薬液供給装置に関する。
【背景技術】
【０００２】
便器を洗浄したり、芳香効果を得るための薬液供給装置は、取付対象となる便器のタイプによって種々のものが提案されている。例えば、貯水タンクを有するタイプに対しては、タンク上部の手洗い部に配置される薬液供給装置が提案されており、この装置は、手洗い部に供給される水とともに、貯水タンク内に薬液を供給するように構成されている。
【０００３】
一方、タンク上部に手洗い部がないものや、貯水タンク自体を設けないタイプの便器も販売されており、これに対しては、便器のリムに直接取り付ける薬液供給装置が提案されている。例えば、特許文献１に記載の薬液供給装置は、便器のリムに吊り掛けられるように薬液容器を設け、その下方に薬液を受けるプレートを取り付けている。そして、薬液容器から排出孔を介してプレート上に供給される薬液を、流水によってさらうことで、便器の内壁面に薬液を供給している。これによって、便器が洗浄されるとともに、薬液に含まれる芳香成分により、芳香効果も得ることができる。
【先行技術文献】
【特許文献】
【０００４】
【特許文献１】特表２００３−５１７１２４号公報
【発明の概要】
【発明が解決しようとする課題】
【０００５】
ところで、上記薬液供給装置は、便器に対して適切な角度で取り付けられなければ、十分な洗浄効果を得られないという問題がある。すなわち、便器の形状は、多岐に亘るため、全ての便器に薬液供給装置を適切な角度で取り付けることはできない。例えば、プレートが下方に傾くと、プレート上に流水を導きにくくなるため、薬液を効率的にさらうことができない。一方、プレートが上方に傾きすぎて便器から離れると、流水をプレート上に流すことができなくなるという問題が発生する。
【０００６】
本発明は、上記問題を解決するためになされたものであり、種々の形状の便器に対応可能で、優れた洗浄効果を得ることができる薬液供給装置を提供することを目的とする。
【課題を解決するための手段】
【０００７】
本発明は、便器のリムに取り付けられる薬液供給装置であって、薬液を収容し、当該薬液の排出口を有する薬液容器と、前記排出口に接続され、前記薬液容器内の薬液を外部へと導く薬液排出機構と、前記薬液排出機構よりも下方に配置される支持部材と、前記薬液容器、薬剤排出機構、及び前記支持部材を便器のリムに吊り掛けるための吊掛部材と、を備え、前記支持部材は、前記薬液排出機構を経た薬液を受ける基部と、前記基部においてリムの内壁面と対向する側に連接される少なくとも１つの弾性部と、前記弾性部に連接され、リムの内壁面に向かって延びる可動部と、を備えている。
【０００８】
この構成によれば、薬液容器から排出された薬液を受ける支持部材が、基部と、可動部と、これらに連接する弾性変形可能な弾性部とで構成されている。そのため、弾性部の弾性変形により、可動部の角度が変更可能であることから、取り付け対象となる便器の形状に関わらず、可動部を便器内壁面に当接させることができる。すなわち、可動部は、弾性部の弾性変形により、基部に対する傾斜角度が変化するので、例えば、便器内壁面と基部との距離が短いと、可動部が便器内壁面に押圧されることで、傾斜が大きくなりつつ便器内壁面と当接する。したがって、種々の形状の便器に対して、基部と便器内壁面と間に隙間を形成することなく、可動部が便器と接触するので、便器内壁面を伝う流水を確実に基部側へ導くことができる。
【０００９】
また、上記薬液供給装置においては、例えば、可動部が基部に対して折り畳まれるように力が作用した場合でも、弾性部により反発するため、折り癖がつきにくくなる。したがって、輸送時に可動部が折り畳まれていたとしても、弾性力により初期状態に復帰しやすく、上述したように、便器形状に適合するように可動部が傾斜するという効果を得ることができる。なお、本発明における「弾性部」とは、基部から可動部へ向かってある程度の長さに渡って延びる部位をいい、例えば、溝により薄膜のヒンジ部を形成したものとは相違する。また、基部、弾性部、及び可動部は、樹脂などで一体的に形成することができる。
【００１０】
上記薬液供給装置においては、弾性部を複数形成し、幅方向に隣接する弾性部の間に、貫通孔を形成することができる。このようにすると、基部から流れた薬液を貫通孔から便器へ落下させることができる。そのため、仮にフラッシュ時の流水が支持部材上に流れ込まないように設置された場合であっても、薬液は貫通孔を介して便器へ落下するため、薬液を便器に供給することできる。これにより、便器を流れる流水によって薬液をさらうことができる。なお、弾性部が１つの場合には、その両端に支持部材の幅方向の両端から切り込まれる切り欠き部が形成されることになり、その切り欠き部を介して薬液が便器へ落下する。
【００１１】
また、基部から可動部側へ向かって前記貫通孔内へ延びる延出部をさらに設けることができる。この構成によれば、貫通孔内に延出部が延びているため、延出部にも薬液を保持することが可能となる。そのため、支持部材上に流れ込む流水によって薬液をさらにやすくなり、薬液を便器内に行き渡らせることができる。
【００１２】
また、支持部材に対し、可動部側に凸のＵ字型の孔を施せば、１つの作業で、上記のような弾性部、貫通孔、及び延出部を形成することができ、製造工程が簡単になる。
【００１３】
なお、弾性部の弾性力は、種々の設定方法があるが、例えば、次のように設定することができる。すなわち、吊掛部材をリムに取り付けたとき、薬液供給装置は吊掛部材の張力に抗して自重により下方に下がっていくが、このとき、支持部材が弾性部の弾性力によってリムの内壁面を押圧するように設定する。これにより、装置は、その自重、吊掛部材の張力、及び支持部材による押圧力でバランスが保たれ、リムに固定される。このように装置がバランスよく支持されるように、弾性部の弾性力を設定することができる。
【００１４】
また、弾性部は、次のように作成することもできる。例えば、支持部材に貫通孔を形成することで幅方向の両端に一対の弾性部を形成することができる。或いは、支持部材において薬液排出機構側からリム側に向かう一部に、厚みの薄い領域を形成し、これを弾性部とすることもできる。
【００１５】
また、上記薬液供給装置においては、薬液容器が、フラッシュ時の流水の経路に配置されないような便器のリムにも取り付けられるようにすることができる。
【００１６】
また、流出孔に、フラッシュ時の流水が到達しないような便器のリムに取り付けられるようにもすることもできる。
【発明の効果】
【００１７】
本発明に係る薬液供給装置によれば、種々の形状の便器に対応可能で、優れた洗浄効果を得ることができる。
【図面の簡単な説明】
【００１８】
【図１】本発明に係る薬液供給装置の一実施形態を示す側面図である。
【図２】図１において薬液容器を取り外した断面図である。
【図３】図１の薬液供給装置の分解背面図である。
【図４】図１の薬液供給装置の分解側面図である。
【図５】装置本体の平面図である。
【図６】図５のＡ−Ａ線断面図である。
【図７】上部材の側面断面図、正面図、及び平面図である。
【図８】下部材の側面断面図、正面図、及び底面図である。
【図９】下部材の一部斜視図（ａ）及びそのＢ−Ｂ線断面図（ｂ）ある。
【図１０】薬液供給装置の取り付け状態を示す側面図である。
【図１１】図５の装置本体の他の例を示す平面図である。
【発明を実施するための形態】
【００１９】
以下、本発明に係る薬液供給装置の一実施形態について図面を参照しつつ説明する。図１は本実施形態に係る薬液供給装置の側面図、図２は図１において薬液容器を取り外した断面図、図３は図１の分解背面図、図４は図１の分解側面図である。
【００２０】
この薬液供給装置は、便器のリムに吊り掛けて使用されるものであり、図１〜図４に示すように、薬液が収容された薬液容器１と、これを下方から支持する装置本体２と、装置をリムに吊り掛けるための吊掛部材３とを有している。また、装置本体２の内部には、薬液容器１から流れ出た薬液を装置本体２の底面へと供給する薬液排出機構４が配置されている。この薬液排出機構４は、後述するように、上部材と下部材とで構成されている。以下、上述した各部材をさらに詳細に説明する。
【００２１】
図３に示すように、薬液容器１は、透明のドーム状に形成され、下面に排出口１１を有している。そして、この排出口１１には、キャップ１３が取り付けられている。このキャップ１３は、環状の本体部と、その中央の穴を塞ぐ薄膜部（図示省略）とで構成されており、使用に際しては、薄膜部を破断させて薬液を排出させる。薬液容器１に収容される薬液は、芳香及び便器の洗浄を行うためのものであり、例えば、２５℃において８０〜５００ｍＰａ・ｓ、５℃において２００〜２０００ｍＰａ・ｓ、好ましくは、２５℃において１２０〜３００ｍＰａ・ｓ、５℃において３００〜１２００ｍＰａ・ｓの粘度を有する薬液とすることができる。
【００２２】
図５は装置本体の平面図、図６は図５のＡ−Ａ線断面図である。図５及び図６に示すように、装置本体２は、薬液容器１を支持するカップ状の基台２０と、この基台２０の底面を構成しリム側に延びる支持プレート（支持部材）２１とで構成されている。基台２０は、平面視楕円状に形成され、その周囲を壁体２２で囲まれている。壁体２２のうち、長手方向の一辺は切り欠かれて開放されており、この開放部分２３１から支持プレート２１が延びている。
【００２３】
また、基台２０の中央には、上方へ延びる支柱２４が取り付けられており、この支柱２４と後述するカバー部材４１１との間の空間に、吊掛部材３が上下動可能に取り付けられる。吊掛部材３は、弾性変形可能に２箇所で折り曲げられた帯状に形成されており、初期状態では、図１のように折り畳まれている。また、吊掛部材３は、上下動可能に構成されているため、装置とリムとが干渉しないように、リムに対する薬液容器１及び装置本体２の高さを調整することができる。また、図５に示すように、基台２０には、台形状の貫通孔２０１が形成されている。貫通孔２０１は、後述する薬液排出機構４における薬液の流出孔４２８の直下の近傍に配置されている。また、基台２０上には、貫通孔２０１を始点として、リム側に傾斜して延びる一対の遮壁２０２が形成されている。両遮壁２０２は、リム側に向かって互いに離れるように、裾広がりに延びている。また、貫通孔２０１の可動部２１２側の辺にも遮壁２０３が形成されている。これにより、３つの遮壁２０２，２０３が、貫通孔２０１と、流出孔４２８の直下の位置とを仕切るように配置されている。
【００２４】
次に、支持プレート２１についてさらに詳細に説明する。図５及び図６に示すように、支持プレート２１は、基台２０の底部を構成しリム側に突出する基部２１１を有し、この基部２１１の幅方向の両端にリム側へ延びる一対の弾性部２１３が接続されている。弾性部２１３は、弾性変形可能であり、上方に向けて湾曲している。そして、この弾性部２１３の端部には、便器の内壁面に当接可能な可動部２１２が接続されている。この構成により、可動部２１２は、弾性部２１３の弾性変形によって、基部２１１に対する傾斜角度を変更できるようになっている。また、両弾性部２１３の間には、貫通孔２１４が形成されており、この貫通孔２１４の基部２１１側から矩形状の延出部２１５が延びている。なお、基部２１１、弾性部２１３、延出部２１５、及び可動部２１２は、樹脂などで一体的に形成されており、図５に示すように、支持プレート２１に対して、リム側に凸のＵ字型の孔を施すことで、弾性部２１３、延出部２１５、及び貫通孔２１４を一度に形成することができる。
【００２５】
また、基部２１１は、可動部２１２側に向かって約６度で下方に傾斜しており、後述するように、薬液排出機構４から排出された薬液がリム側へ流れやすいようにしている。基部２１１の傾斜角度αは、これ以外に設定することも可能であり、例えば、０〜４５度にすることができ、３〜３０度であることが好ましい。また、初期状態では、図６に示すように、可動部２１２は基部２１１に対して、約３０°の傾斜角度βで上方に傾斜しており、この状態から弾性部の弾性変形によって、基部２１１に対し約０〜９０°程度の範囲で傾斜が可能となっている。
【００２６】
続いて、薬液排出機構４について説明する。図２〜図４に示すように、薬液排出機構４は、薬液容器１と支持プレート２１との間に配置されており、上側に配置される上部材４１と、下側に配置される下部材４２とで構成されている。上部材４１は、平面視楕円型の筒状に形成されており、下方が開放している。一方、図８に示すように下部材４２は、平面視楕円状の板状部４２１と、その周囲に上下方向に延びるように形成された低い壁部材４２３とで構成されており、上部材４１の下部開口を塞ぐように配置される。そして、上部材４１と下部材４２とが組み合わされることで、両者の間には、薬液を保持する緩衝空間４５が形成される（図２参照）。以下、上部材４１及び下部材４２についてさらに詳細に説明する。
【００２７】
まず、上部材４１について説明する。図７は上部材の断面図（ａ）、正面図（ｂ）、及び平面図（ｃ）である。同図に示すように、上部材４１の側面には、上方に延びるレール状のカバー部材４１１が取り付けられており、このカバー部材４１１は、上述した通り、支柱２４に当接し、吊掛部材３を収容する空間を形成する。また、上部材４１の上面中央部には、先端が斜めに切りかかれて鋭利な円筒状の連通管４１２が設けられるとともに、上面の端部には合計４つの空気流出孔４１３が形成されている。連通管４１２は、上述した薬液容器１のキャップ１３に突き刺され、薄膜部を破断させる役割を果たす。また、連通管４１２の周縁には、Ｕ字状の溝４１７が形成されており、この溝４１７にキャップ１３が嵌るようになっている。一方、連通管４１２の内部底面には、下部材４２側へ延びる円筒状の固定管４１４と、その近傍に配置された３個の連通孔４１５とが形成されている。そして、これら連通孔４１５と、上述した空気流出孔４１３とは、緩衝空間４５と連通している。なお、連通孔４１５が複数個形成されている場合、複数の連通孔４１５のうち、最も大きい連通孔４１５の開口面積が０．６〜１．８ｍｍ２以上とすることが好ましい。
【００２８】
続いて、下部材４２について図８及び図９も合わせて説明する。図８は下部材の断面図（ａ）、正面図（ｂ）、及び底面図（ｃ）であり、図９は下部材の一部斜視図（ａ）及びそのＢ−Ｂ線断面図（ｂ）ある。まず、図８に示すように、下部材４２の中央には、上部材４１の固定管４１４に嵌合する円筒状の案内管４２４と、その周囲を囲むように設けられた円形の固定壁４２５とが設けられている。そして、案内管４２４と固定壁４２５との間の隙間には、上述した固定管４１４が嵌るようになっている。案内管４２４の上部開口は、斜めに切り取られた形状となっており、その開口の低い側から案内管４２４の外周面に沿って上下方向に延びるＶ字状の案内溝４２６が形成されている。ここで、図８及び図９に示すように、案内管４２４は固定管４１４の内部に嵌っているため、固定管４１４の内壁面と、案内溝４２６とで薬液の通路、つまり案内路が形成される。また、案内管４２４と固定壁４２５との隙間の底面と固定管４１４の下端部との隙間にも薬液が通過する空間、つまり延長路４２７が形成される。より詳細に説明すると、上記隙間の底面においては、案内溝４２６の両側の各約９０度が薬液の延長路４２７を構成するとともに、案内溝４２６とは反対側には、約１８０度に亘る半円形の流出孔４２８が形成されている。そして、延長路４２７を通過した薬液が流出孔４２８から支持プレート２１側へ流れ出るようになっている。なお、各延長路４２７の容積は、０．０５〜０．３ｍｍ３であることが好ましく、０．０７〜０．１５ｍｍ３であることがさらに好ましい。また、延長路４２７の断面積は、０．０２〜０．１ｍｍ２であることが好ましく、０．０３〜０．０５ｍｍ２であることがさらに好ましい。
【００２９】
図８に示すように、下部材４２の下面には、上述した流出孔４２８の両端をと接触する板状の突条部４３が設けられている。より詳細には、この突条部４３は、流出孔４２８の両端を結ぶ基板４３１と、この基板４３１の両端から延びる一対の延長部４３２とで形成されている。そして、各延長部４３２は、互いに離間するように、可動部２１２側へ斜め方向に延びている（図２参照）。また、突条部４３の上下方向の長さは、例えば、３〜１０ｍｍにすることができるが、図２に示すように、突条部４３の下端部は、装置本体２の底面に接触していることが好ましい。さらに、図９に示すように、突条部４３には、下向きに延びる複数の溝（排出促進部）が形成されている。このように突条部４３に溝を形成すると、薬液が突条部４３に保持されやすくなり、より多くの薬液を支持プレート２１側へスムーズに供給することができる。なお、溝の深さは、例えば、０．１５〜０．３ｍｍにすることができ、溝の幅は０．４〜０．８ｍｍにすることができる。
【００３０】
次に、上記のように構成された薬液供給装置の使用方法について図１０も参照しつつ説明する。図１０は薬液供給装置の取り付け状態を示す側面図である。まず、薬液容器１を上部材４１上に配置する。これにより、薬液容器１のキャップ１３に連通管４１２が突き刺さり、薬液容器１が固定される。続いて、この装置を便器のリムに取り付ける際には、吊掛部材３を、支柱２４から引き出して高さを調整しつつ、図１の状態からコ字状に押し広げる。そして、図１０に示すように、リムＲを挟むように配置する。このとき、可動部２１２は、便器の内壁面に当接するのであるが、基部２１１に対して揺動可能となっているため、基部２１１と便器内壁面Ｓとの距離に応じて、傾斜する。こうして、基部２１１と便器内壁面Ｓとの隙間は埋められる。その結果、基部２１１に流れ出た薬液を効率よくさらって、便器へ流すことができるため、便器の形状にかかわらず、優れた洗浄効果を得ることができる。
【００３１】
続いて、薬液の流れについて説明する。連通管４１２によりキャップ１３の薄膜部が破断されると、薬液は、薬液容器１から薬液排出機構４へと流れ出て、一部は連通管４１２及び連通孔４１５を介して緩衝空間４５内に流れ込む。一方、残りの薬液は、図９に示すように、案内溝４２６を通過して下方へ流れた後、延長路４２７及び流出孔４２８を介して下部材４２の下面側に流れ出る。そして、この薬液は、突条部４３を伝って下方へ移動し、支持プレート２１上へ移る。また、薬液容器１から案内溝４２６へ薬液が排出されると、薬液の排出に伴って薬液容器１内は負圧になる。これに伴って、緩衝空間４５内の薬液及び空気は、連通孔４１５を介して薬液容器１内へ流入していく。こうして、薬液や空気が薬液容器１内に流れ込むと、薬液容器１内の薬液が押し出され、案内溝４２６へと流出していく。
【００３２】
上記のように装置が設置された後、便器内に水が流されると、流された水は、図１０に示すように、リムＲの内側から便器内壁面Ｓを伝い、可動部２１２によって基部２１１側へ案内される（矢印Ｘ）。そして、基部２１１と可動部２１２との間の延出部２１５に貯まった薬液をさらいつつ、便器へと流れていく。こうして、薬液は流水とともに、便器内壁面Ｓに供給され、便器の清浄が行われる。なお、支持プレート２１上に流れ込む水が薬液排出機構４を逆流して薬液容器１内に入り込むおそれもあるが、これについては次のように対処される。すなわち、本実施形態に係る装置では、薬液は、案内溝４２６及び延長路４２７を介して支持プレート２１上に流れ出る。特に、延長路４２７は水平に延びているため、突条部４３を介して上方に流れた水は、一旦水平に延びる延長路４２７を通過した後、さらに垂直に延びる案内溝４２６を通過しなければ、薬液容器１には到達しない。このように、この装置では、支持プレート２１から薬液容器１に至る垂直方向の経路の中に水平に延びる経路を配置しているので、水の進入を防止することができる。
【００３３】
また、貫通孔２０１は、次のような役割も果たす。例えば、装置がリムに対して傾いて取り付けられた場合、薬液が支持プレート２１上でリムＲとは反対側に流れたとしても、この薬液は貫通孔２０１から装置外部へ排出される。つまり、薬液が便器に流れるため、流水に接触させることができる。したがって、所望の角度で装置をリムに対して取り付けられていない場合であっても、薬液を流水に接触させることができ、所望の芳香、洗浄効果を得ることができる。また、流水が装置本体２内に流入しない場合であっても、薬液を貫通孔２０１を介して便器に流出させることができる。
【００３４】
また、薬液が支持プレート２１上に供給されても長時間流水がなければ、薬液が支持プレート２１上で固まるおそれがある。この場合、上記のように、装置本体２の底面に貫通孔２０１が形成されていると、この貫通孔２０１を介して薬液を外部に排出することも可能となり、支持プレート２１上で固まるのを防止することができる。
【００３５】
また流出孔４２８の直下の位置と貫通孔２０１との間に遮壁２０３を設けているため、遮壁２０３を越えた薬液のみが貫通孔２０１から流れ出すため、装置が傾いていたとしても、ある程度の薬液は支持プレート２１上に残ることになる。よって、薬液が過度に貫通孔２０１から排出されるのを防止することができ、流水によって支持プレート２１上の薬液がさらわれるようになる。なお、薬液の外部への排出は、支持プレート２１上に形成された貫通孔２１４によっても同様に行われ、同様の効果を得ることができる。
【００３６】
以上のように本実施形態によれば、弾性部２１３の弾性変形により、可動部２１２の角度が変更可能であることから、取り付け対象となる便器の形状に関わらず、可動部２１２を便器内壁面に当接させることができる。すなわち、可動部２１２は、弾性部２１３の弾性変形により、基部２１１に対する傾斜角度が変化するので、例えば、便器内壁面と基部との距離が短いと、可動部２１２が便器内壁面に押圧されることで、傾斜が大きくなりつつ便器内壁面と当接する。したがって、種々の形状の便器に対して、基部２１１と便器内壁面と間に隙間を形成することなく、可動部２１２が便器と接触するので、便器内壁面を伝う流水を確実に基部２１１側へ導くことができる。
【００３７】
また、上記薬液供給装置においては、弾性部２１３が弾性変形可能で、且つ湾曲した形状となっているため、弾性部２１３は弾性力を有する。そのため、輸送時に可動部２１２が基部２１１側に折り畳まれていたとしても、弾性力により初期状態に復帰しやすく、上述したように、便器形状に適合するように可動部２１２が傾斜するという効果を得ることができる。
【００３８】
また、基部２１１から可動部２１２側へ向かって貫通孔２１４内へ延びる延出部２１５が設けられているため、延出部２１５にも薬液を保持することが可能となる。そのため、支持プレート２１上に流れ込む流水によって薬液をさらいやすくなり、薬液を便器内に行き渡らせることができる。
【００３９】
以上、本発明の実施形態について説明したが、本発明は上記各実施形態に限定されるものではなく、その趣旨を逸脱しない限りにおいて、種々の変更が可能である。
【００４０】
例えば、弾性部２１３は、弾性変形可能で、上方に向かって湾曲する形状であれば、特には限定されない。例えば、図１１に示す態様がある。図１１（ａ）に示すように、幅方向に延びる１つの貫通孔２１４を形成し、その両端に弾性部２１３を形成することができる。また、図１１（ｂ）に示すように、支持プレート２１にＨ字型の孔２１４を形成することで、支持プレート２１の両端に一対の弾性部２１３を形成するとともに、基部２１１から可動部２１２へ延びる延出部２１５を形成することができる。図１１（ｃ）に示す態様では、支持プレート２１の幅方向に並ぶ２つの貫通孔２１４を形成し、これによって、基部２１１の両端部及び中央部に、３つの弾性部２１３を形成している。また、図１１（ｄ）の態様では、支持プレート２１の幅方向に並ぶ２つのＵ字型の孔２１４を形成し、これによって、基部２１１の両端部及び中央部に、３つの弾性部２１３を形成している。また、基部２１１から延びる２つの延出部２１５を形成している。
【００４１】
また、薬液容器１、薬液排出機構４の構成は、上記実施形態に限定されるものではなく、薬液容器１から支持プレート２１に対して薬液を供給できるものであれば、特には限定されない。また、支持プレート２１は、必ずしもプレート状に形成していなくてもよく、薬液を受ける面が形成されていればよい。
【符号の説明】
【００４２】
１    薬液容器
２１  支持プレート（支持部材）
２１１  基部
２１２  可動部
２１３  弾性部
２１４  貫通孔
２１５  延出部
３    吊掛部材
４    薬液排出機構
【図１】
2010216192.tif 000003
【図２】
2010216192.tif 000004
【図３】
2010216192.tif 000005
【図４】
2010216192.tif 000006
【図５】
2010216192.tif 000007
【図６】
2010216192.tif 000008
【図７】
2010216192.tif 000009
【図８】
2010216192.tif 000010
【図９】
2010216192.tif 000011
【図１０】
2010216192.tif 000012
【図１１】
2010216192.tif 000013